(57)【要約】【課題】上部形成体を容易に製造できる便器を提供する。【解決手段】便器１０の上面を形成する上面部１１を有した上部形成体３０と、前記上面部１１の内側縁部に接合される内壁部４１、及び前記上面部１１の外側縁部に接合される外壁部４２を有した下部形成体４０と、を備え、前記内壁部４１と前記外壁部４２との間には空間部Ａが形成され、前記空間部Ａの下端から前記内壁部４１の上面４７Ｕまでの上下方向の寸法は、前記空間部Ａの上端から前記内壁部４１の上面４７Ｕまでの上下方向の寸法より大きい。このような構成によれば、下部形成体４０との接合面３９を、上部形成体３０の下面３０Ｕに大きく突出させて形成しなくてよいから、上部形成体３０を容易に製造できる。【選択図】図８
2020180528.tif 000002
【特許請求の範囲】
【請求項１】
設置された状態において便器の上面を形成する上面部を有した上部形成体と、
前記上面部の内側縁部に接合される内壁部、及び前記上面部の外側縁部に接合される外壁部を有した下部形成体と、を備え、
前記内壁部と前記外壁部との間には空間部が形成され、
前記空間部の下端から前記内壁部の上面までの上下方向の寸法は、前記空間部の上端から前記内壁部の上面までの上下方向の寸法より大きい便器。
【請求項２】
前記上面の内側縁部が、前記上面部の内側縁部における下面と前記内壁部の上面とが接合された内縁接合面の内側端縁に連続して上方に膨らんだ内縁湾曲面である請求項１に記載の便器。
【請求項３】
前記内壁部の上端部の内面が鉛直に近い角度をなしている請求項２に記載の便器。
【請求項４】
前記上面の外側縁部が、前記上面部の外側縁部における下面と前記外壁部の上面とが接合された外縁接合面の外側端縁に連続して上方に膨らんだ外縁湾曲面である請求項１から請求項３のいずれか一項に記載の便器。
【請求項５】
前記外縁接合面が、前記外側端縁から内側に向けて斜め下方に傾斜した傾斜部を有している請求項４に記載の便器。
【請求項６】
前記内縁接合面が、前記内側端縁から外側に向けて斜め下方に傾斜した傾斜部を有している請求項２に記載の便器。
【請求項７】
前記上面部の内側縁部における下面は、前記内壁部の上面より内外方向の寸法が大きく、前記上面部の外側縁部における下面は、前記外壁部の上面より内外方向の寸法が大きい請求項１から請求項６のいずれか一項に記載の便器。
【請求項８】
設置された状態において便器の上面を形成する上面部を有した上部形成体と、
前記上面部の内側縁部に接合される内壁部、及び前記上面部の外側縁部に接合される外壁部を有した下部形成体と、を備え、
前記上面部の内側縁部から垂下する便鉢部のうち吐水口より上側の部分では、前記下部形成体の上下方向の寸法が、前記上部形成体の上下方向の寸法より大きい便器。
【発明の詳細な説明】
【技術分野】
【０００１】
本発明は、便器に関する。
【背景技術】
【０００２】
従来、上部形成体と下部形成体とを接合してなる便器が知られている。例えば下記特許文献１に記載された便器の上部形成体は、上面を形成する上面部と、上面部の下面に設けられた内壁部とを有している。上部形成体の内壁部の下端部、及び上面部の外側縁部が下部形成体と接合される。
【先行技術文献】
【特許文献】
【０００３】
【特許文献１】特開２０１０−１７４４５０号公報
【発明の概要】
【発明が解決しようとする課題】
【０００４】
しかしながら、上記のような構成では、下部形成体との接合面を、上部形成体の下面に大きく突出させて形成する必要がある。このため、上部形成体の製造が容易ではなかった。
【０００５】
本発明は上記のような事情に基づいて完成されたものであって、上部形成体を容易に製造できる便器を提供することを目的とする。
【課題を解決するための手段】
【０００６】
本発明の便器は、設置された状態において便器の上面を形成する上面部を有した上部形成体と、前記上面部の内側縁部に接合される内壁部、及び前記上面部の外側縁部に接合される外壁部を有した下部形成体と、を備え、前記内壁部と前記外壁部との間には空間部が形成され、前記空間部の下端から前記内壁部の上面までの上下方向の寸法は、前記空間部の上端から前記内壁部の上面までの上下方向の寸法より大きいものである。ここで、上面部の内側縁部とは、上面部のうち内壁部との接合面から上面部の内側の端までを含む部分である。
【０００７】
本発明の便器は、設置された状態において便器の上面を形成する上面部を有した上部形成体と、前記上面部の内側縁部に接合される内壁部、及び前記上面部の外側縁部に接合される外壁部を有した下部形成体と、を備え、前記上面部の内側縁部から垂下する便鉢部のうち吐水口より上側の部分では、前記下部形成体の上下方向の寸法が、前記上部形成体の上下方向の寸法より大きいものである。
【発明の効果】
【０００８】
本発明によれば、下部形成体との接合面を、上部形成体の下面に大きく突出させて形成しなくてよいから、上部形成体を容易に製造できる。
【図面の簡単な説明】
【０００９】
【図１】実施例１における便器であって、上部形成体と下部形成体とを接合した状態を示す斜視図
【図２】上部形成体と下部形成体とを接合した状態の便器を示す平面図
【図３】上部形成体と下部形成体とを接合した状態の便器を示す断面斜視図であって、図２のＡ−Ａ線断面斜視図
【図４】上部形成体と下部形成体とを接合した状態の便器を示す断面図であって、図２のＢ−Ｂ位置における断面に相当する断面図
【図５】上部形成体と下部形成体とを接合する前の状態を示す斜視図
【図６】上部形成体を示す底面図
【図７】下部形成体を示す平面図
【図８】上部形成体と下部形成体との接合面を示す断面図であって、図２のＣ−Ｃ位置における断面に相当する断面図
【図９】実施例２における便器であって、上部形成体と下部形成体との接合面の一例を示す断面図
【図１０】上部形成体と下部形成体との接合面の他の例を示す断面図
【図１１】実施例３における便器であって、上部形成体と下部形成体との接合面の一例を示す断面図
【図１２】実施例４における便器であって、上部形成体と下部形成体との接合面を示す断面図
【図１３】他の実施例（１）における便器であって、上部形成体と下部形成体とを接合した状態の便器を示す平面図
【発明を実施するための形態】
【００１０】
本発明の好ましい形態を以下に示す。
本発明の便器は、前記上面の内側縁部が、前記上面部の内側縁部における下面と前記内壁部の上面とが接合された内縁接合面の内側端縁に連続して上方に膨らんだ内縁湾曲面であるものとしてもよい。このような構成によれば、内縁接合面の内側端縁が目立ちにくいから、見た目を良くすることができる。
【００１１】
また、本発明の便器は、前記内壁部の上端部の内面が鉛直に近い角度をなしているものとしてもよい。ここで、内壁部の上端部の内面が鉛直に近い角度をなしている便器はいわゆるフチレス便器と言われ、フチレス便器は、略鉛直な内面に内縁接合面の内側端縁が位置していると目につきやすい。しかしながら、本発明によれば内縁接合面の内側端縁が内縁湾曲面内に位置しているから目立ちにくい。したがって、いわゆるフチレス形状の便器であっても見た目を良くすることができる。
【００１２】
また、本発明の便器は、前記上面の外側縁部が、前記上面部の外側縁部における下面と前記外壁部の上面とが接合された外縁接合面の外側端縁に連続して上方に膨らんだ外縁湾曲面であるものとしてもよい。このような構成によれば、外縁接合面の外側端縁が目立ちにくいから、見た目を良くすることができる。
【００１３】
また、本発明の便器は、前記外縁接合面が、前記外側端縁から内側に向けて斜め下方に傾斜した傾斜部を有しているものとしてもよい。このような構成によれば、仮に外縁湾曲面の半径が小さくても、上部形成体の厚さ寸法を確保できるから、上部形成体を容易に製造できる。
【００１４】
また、本発明の便器は、前記内縁接合面が、前記内側端縁から外側に向けて斜め下方に傾斜した傾斜部を有しているものとしてもよい。このような構成によれば、仮に内縁湾曲面の半径が小さくても、上部形成体の厚さ寸法を確保できるから、上部形成体を容易に製造できる。
【００１５】
また、本発明の便器は、前記上面部の内側縁部における下面は、前記内壁部の上面より内外方向の寸法が大きく、前記上面部の外側縁部における下面は、前記外壁部の上面より内外方向の寸法が大きいものとしてもよい。
【００１６】
＜実施例１＞
以下、本発明を具体化した実施例１の便器１０について、図１〜図８を参照しつつ詳細に説明する。
本実施例における便器１０は、図１に示すように、上面を形成する上面部１１と、上面部１１の内側縁部から垂下する便鉢部１２と、上面部１１の外側縁部から垂下する周壁部１３とを備えている。以下、各構成部材において、便器１０に通常の姿勢で座る人の向きを基準とし、図１の上側を上方、図１の下側を下方、図２の下側を前方、図２の上側を後方、図２の右側を左方、図２の左側を右方、として説明する。
【００１７】
上面部１１は、図２に示すように、前後方向に若干長い環状をなしている。上面部１１は、前側から左右両側にわたり連続するリム部１４と、リム部１４の後端部を左右方向に連結する連結部１５とを備えている。リム部１４は、概ね一定の幅寸法（内外方向の寸法）を有している。
【００１８】
連結部１５には、上面がリム部１４の上面より下方に窪んだ窪み部１６が設けられている。窪み部１６の左右両面及び後面には段差が形成されている。窪み部１６の前面は開放されている。
【００１９】
連結部１５には、リム部１４の後端から後方に一段突出した突出部１７が設けられている。突出部１７の上面とリム部１４の上面とは略水平に連なっている。図３に示すように、突出部１７の厚さ寸法（上下方向の寸法）はリム部１４の厚さ寸法よりも大きい。突出部１７は、扁平な箱型をなし、内部は空間部となっている。
【００２０】
便鉢部１２は、図３及び図４に示すように、立面部１８と、棚部１９と、鉢面部２１と、溜水部２２とを備えている。立面部１８は、便鉢部１２の上端部に設けられている。立面部１８は、略鉛直に立ち上がっている。この便器１０は、いわゆるフチレス便器である。棚部１９は、立面部１８の下端から便鉢部１２の中央側に張り出している。鉢面部２１は、棚部１９の内側縁部から便鉢部１２の中央側に下り勾配で傾斜している。溜水部２２は、鉢面部２１の下端から下方に窪んで設けられている。立面部１８、棚部１９及び鉢面部２１は、環状に連続して設けられている。溜水部２２には、便鉢部１２から汚物を排出する排水路２３の入り口が設けられている。
【００２１】
便鉢部１２の後側領域には、図３に示すように、吐水口２４が設けられている。吐水口２４は、便鉢部１２の右側面に設けられている。吐水口２４は、前方に開口している。
【００２２】
吐水口２４の後側には、便鉢部１２に洗浄水を供給する通水路２５が延びている。通水路２５は、立面部１８の外周側に形成されている。通水路２５に供給された洗浄水は吐水口２４から便鉢部１２内に吐水される。
周壁部１３は、便鉢部１２の周り（前面及び左右両側面）を覆っている。周壁部１３の下端は、床面に設置される。
【００２３】
このような便器１０は、図５に示すように、上部形成体３０と下部形成体４０とを接合して形成される。
上部形成体３０は、上面部１１と、通水路２５の上側部分を形成する通水路上部３１とを有している。上面部１１は、リム部１４と連結部１５とを含む。
【００２４】
上部形成体３０は、平板形状をなしている。ここで、平板形状とは、概ね平らな板状という意味であり、上部形成体３０の上面または下面に多少の段差や突出部があるものを含む。平板形状であるという場合の段差の高さ寸法や突出部の高さ寸法は、上部形成体３０の平均高さ以下であればよく、望ましくは平均高さの半分以下であればよい。すなわち、図４に示された便器１０の右上角部に表された上部形成体３０の下面に形成された突出部Ｔの高さ寸法は、上部形成体３０の平均高さ以下であり、かつ上部形成体３０の平均高さの半分以下である。したがって、上部形成体３０のうち図４の右上角部に示された部分は、平板形状である。
【００２５】
上部形成体３０の下面は、平らな平面で構成されている。言い換えると、上部形成体３０の下面は、後述する内縁上側接合面３９Ｕから後述する外縁上側接合面３９Ｓまで滑らかに連続している。ここで、平面とは、概ね平らな面という意味であり、上部形成体３０の下面に多少の段差や突出部があるものを含む。平面であるという場合の段差の高さ寸法や突出部の高さ寸法は、上部形成体３０の平均高さ以下であればよく、望ましくは平均高さの半分以下であればよい。すなわち、図４に示された便器１０の右上角部に表された上部形成体３０の下面の突出部Ｔの高さ寸法は、上部形成体３０の平均高さ以下であり、かつ平均高さの半分以下である。したがって、上部形成体３０のうち図４の右上角部に示された部分下面は平面である。
【００２６】
上部形成体３０の下面は、図６に示すように、凹凸のない平面部３２を有している。平面部３２は、上部形成体３０の右側に設けられている。平面部３２は、リム部１４の前端から右側に広がり、前後方向中央より少し前側の位置まで連続している。
【００２７】
上部形成体３０は、下面にリブ３３が突設された補強部３４を有している。補強部３４は、上部形成体３０の左側に設けられている。リブ３３は、リム部１４の幅方向（内外方向）における中央に形成されている。リブ３３は、リム部１４に沿って周方向に延びている。補強部３４の下面のうちリブ３３の内周側及び外周側には、平面部３２の下面に段差なく連なる内周面３４Ｕ及び外周面３４Ｓが形成されている。内周面３４Ｕ及び外周面３４Ｓは、後述する内縁上側接合面３９Ｕ及び外縁上側接合面３９Ｓの一部である。
【００２８】
通水路上部３１は、上部形成体３０の右側に設けられている。通水路上部３１は、上部形成体３０の下面３０Ｕにおいて下方に突出している。通水路上部３１は、リム部１４の内側に設けられている。上部形成体３０の下面のうち通水路上部３１の外周側には、平面部３２の下面に段差なく連なる外周面３１Ｓが形成されている。通水路上部３１の下面には、通水路２５の内周側に立つ通水路内周壁３５と、通水路２５の外周側に立つ通水路外周壁３６とが突設されている。通水路内周壁３５の前端部と通水路外周壁３６との間に吐水口２４が形成される。
【００２９】
通水路上部３１の下面は、図３に示すように、通水路内周壁３５の前端から前方に向かって斜め上方に傾斜している。通水路上部３１の前端は、平面部３２の下面に連なっている（図６参照）。通水路上部３１の内部は空洞となっている（図４参照）。通水路上部３１の内壁は、立面部１８を構成する。
【００３０】
上部形成体３０の後端部の下面には、図３に示すように、突条部３７が形成されている。突条部３７は、図６に示すように、上部形成体３０の左右方向の全幅にわたっている。突条部３７の左右両端部は、外周面３１Ｓ，３４Ｓに連なっている。突条部３７は、突出部１７の後端に沿った第１横部３７Ｆと、突出部１７の前端に沿った第２横部３７Ｓと、第１横部３７Ｆと第２横部３７Ｓとを前後方向に繋ぐ縦部３７Ｔとを有している。第１横部３７Ｆは、上部形成体３０の左右方向における中央部に設けられている。第２横部３７Ｓは、第１横部３７Ｆの左右両側に設けられている。縦部３７Ｔは、第１横部３７Ｆの左右両端部から第２横部３７Ｓの端部に向かって略平行に延びている。
【００３１】
上部形成体３０の後端部の下面には、補強部３４の内周面３４Ｕに連なる後端内周面３８が設けられている。後端内周面３８の左側端が補強部３４の内周面３４Ｕに連なり、後端内周面３８の右側端が通水路内周壁３５に連なっている。
【００３２】
上部形成体３０の下面には下部形成体４０との接合面（上側接合面３９と称する。）が設けられている。上側接合面３９は、上部形成体３０の内側縁部に設けられた内縁上側接合面３９Ｕと、上部形成体３０の外側縁部に設けられた外縁上側接合面３９Ｓとを有している。内縁上側接合面３９Ｕは、平面部３２の下面の内側縁部、補強部３４の下面の内周面３４Ｕ、後端内周面３８、及び通水路上部３１の内周縁部（通水路内周壁３５を含む）により構成されている。外縁上側接合面３９Ｓは、平面部３２の下面の外側縁部、補強部３４の下面の外周面３４Ｓ、突条部３７の下面、及び通水路上部３１の外周面３１Ｓにより構成されている。
【００３３】
上部形成体３０の上面の内側縁部及び外側縁部には、図８に示すように、内縁湾曲面２６Ｕ及び外縁湾曲面２６Ｓが形成されている。内縁湾曲面２６Ｕは、内側縁部の全周にわたって連続している。詳しくは、図２及び図３に示すように、内縁湾曲面２６Ｕは、リム部１４の内側縁部及び窪み部１６の前端縁部に形成されている。外縁湾曲面２６Ｓは、外側縁部の全周にわたって連続している。詳しくは、外縁湾曲面２６Ｓは、リム部１４の外側縁部及び連結部１５の後端縁部に形成されている。
【００３４】
内縁湾曲面２６Ｕ及び外縁湾曲面２６Ｓの上端は、図８に示すように、リム部１４の上面に連なっている。内縁湾曲面２６Ｕ及び外縁湾曲面２６Ｓの下端Ｒ１は、リム部１４の下面に水平に連なっている。内縁湾曲面２６Ｕの半径及び外縁湾曲面２６Ｓの半径は、リム部１４の平面部３２の厚さ寸法（上下方向の寸法）と概ね等しい。
【００３５】
下部形成体４０は、図８に示すように、上面部１１の内側縁部に接合される内壁部４１、及び上面部１１の外側縁部に接合される外壁部４２を有している。内壁部４１及び外壁部４２は、下部形成体４０の上面部（下部形成体上面部４３と称する。）に突設されている。外壁部４２と内壁部４１との間には溝部４４が形成されている。内壁部４１及び外壁部４２は溝部４４の下端から上方の部分である。溝部４４の深さ寸法（上下方向の寸法）、すなわち内壁部４１及び外壁部４２の高さ寸法（上下方向の寸法）は、リブ３３の突出寸法よりも大きい。溝部４４の幅寸法（内外方向の寸法）は、リブ３３の幅寸法よりも大きい。
【００３６】
上部形成体３０と下部形成体４０とが接合された状態では、上面部１１、内壁部４１、外壁部４２及び下部形成体上面部４３に囲まれて空間部Ａが形成される。内壁部４１及び外壁部４２は空間部Ａの下端から上方の部分である。空間部Ａの上面は、図８に示すように、上部形成体３０により形成されている。空間部Ａの側面（図８では左側面及び右側面）は、下部形成体４０のみにより形成されている。すなわち図８では、空間部Ａの上端から内縁下側接合面４７Ｕまでの上下方向の寸法、及び空間部Ａの上端から外縁下側接合面４７Ｓまでの上下方向の寸法はいずれもゼロである。なお、空間部Ａの左側面及び右側面とは、図８では、空間部Ａの下端から左上方に立ち上がる面、及び空間部Ａの下端から右上方に立ち上がる面である。
【００３７】
内壁部４１は、図８に示すように、便鉢部１２の上端に沿って設けられている。内壁部４１は、立面部１８を構成する。内壁部４１の形状は、図７に示すように、平面視、環状をなしている。内壁部４１の平面形状は、上部形成体３０の内縁上側接合面３９Ｕの平面形状に整合している。内壁部４１は、吐水口２４の形成部を除き概ね全周にわたり連続している。内壁部４１は、図３及び図５に示すように、通水路上部３１の下面の傾斜に沿って上面が傾斜した傾斜内壁部４１Ｋを有している。
【００３８】
外壁部４２は、図７に示すように、下部形成体４０の前側から左右両側にわたり連続して設けられた第１外壁部４５と、第１外壁部４５の後端を左右に連結するように設けられた第２外壁部４６とを有している。第１外壁部４５は、周壁部１３を構成する。第１外壁部４５の上面は、図８に示すように、概ね水平な面である。第１外壁部４５の上面は、内壁部４１の上面と概ね同じ高さに位置している。第２外壁部４６の上面は、図５に示すように、第１外壁部４５の上面より下方に位置している。第２外壁部４６は、図７に示すように、上部形成体３０の突条部３７と同様、第１横部４６Ｆ、第２横部４６Ｓ及び一対の縦部４６Ｔを有している。
【００３９】
下部形成体４０の上面には上部形成体３０との接合面（下側接合面４７と称する。）が設けられている。下側接合面４７は、図７に示すように、内壁部４１（傾斜内壁部４１Ｋを含む）の上面により構成される内縁下側接合面４７Ｕと、外壁部４２の上面により構成される外縁下側接合面４７Ｓとを有している。図４に示すように、内縁下側接合面４７Ｕの幅寸法（内外方向の寸法）は、内縁上側接合面３９Ｕの幅寸法よりも小さい。外縁下側接合面４７Ｓの幅寸法は、外縁上側接合面３９Ｓの幅寸法よりも小さい。
【００４０】
このように構成された上部形成体３０と下部形成体４０とを接合する。図示しない型を用いて上記した上部形成体３０及び下部形成体４０の形状をなす中間成形品を製造し、中間成形品の上側接合面３９及び下側接合面４７に接合用の泥しょうを塗布して接合する。このとき、図８に示すように、内縁上側接合面３９Ｕの内側端縁と、内縁下側接合面４７Ｕの内側端縁とが面方向にずれないように合わせる。また外縁上側接合面３９Ｓの外側端縁と、外縁下側接合面４７Ｓの外側端縁とが面方向にずれないように合わせる。図４に示すように、内縁上側接合面３９Ｕの幅寸法が内縁下側接合面４７Ｕの幅寸法よりも大きいため、内縁上側接合面３９Ｕの内側部分は露出する。外縁上側接合面３９Ｓの幅寸法は外縁下側接合面４７Ｓの幅寸法よりも大きいため、外縁上側接合面３９Ｓの内側部分は露出する。こうして上部形成体３０と下部形成体４０とを接合した状態にして乾燥し、焼成することにより便器１０が完成する。
【００４１】
完成した状態の便器１０において下部形成体４０と上部形成体３０との接合面２７は、図８に示すように、内縁湾曲面２６Ｕ及び外縁湾曲面２６Ｓの下端Ｒ１に位置している。接合面２７は、内縁上側接合面３９Ｕと内縁下側接合面４７Ｕとが接合してなる内縁接合面２７Ｕと、外縁上側接合面３９Ｓ及び外縁下側接合面４７Ｓとが接合してなる外縁接合面２７Ｓとを有している。接合面２７の内側端縁２８は、内縁上側接合面３９Ｕ及び内縁下側接合面４７Ｕの内側端縁である。接合面２７の内側端縁２８は、通水路上部３１に対応する部分を除いた全周において内縁湾曲面２６Ｕの下端に沿って形成されている。接合面２７の外側端縁２９は、外縁上側接合面３９Ｓ及び外縁下側接合面４７Ｓの外側端縁である。接合面２７の外側端縁２９は、リム部１４の後端部及び連結部１５を除いた全周において外縁湾曲面２６Ｓの下端Ｒ１に沿って形成されている。なお、リム部１４の後端部及び連結部１５の接合面２７の外側端縁２９は、図示しないカバー部材によって覆い隠される。
【００４２】
次に、上記のように構成された実施例の作用および効果について説明する。
本実施例の便器１０は、上面を形成する上面部１１を有する上部形成体３０と、上面部１１の内側縁部に接合される内壁部４１、及び上面部１１の外側縁部に接合される外壁部４２を有する下部形成体４０と、を備えている。この構成によれば、下部形成体４０との接合面である上側接合面３９を、上部形成体３０の下面３０Ｕに突出させて形成しなくてよいから、上部形成体３０を容易に製造できる。
【００４３】
また、上面の内側縁部が、上面部１１の内側縁部における下面と内壁部４１の上面とが接合された内縁接合面２７Ｕの内側端縁２８に連続して上方に膨らんだ内縁湾曲面２６Ｕである。この構成によれば、内縁接合面２７Ｕの内側端縁２８が目立ちにくいから、見た目を良くすることができる。
【００４４】
また、設置された状態において、内壁部４１の上端部の内面が鉛直に近い角度をなしている。いわゆるフチレス形状の便器１０は、略鉛直な壁面に内縁接合面２７Ｕの内側端縁２８が位置していると目につきやすい。しかしながら、本実施例の便器１０によれば内縁接合面２７Ｕの内側端縁２８が内縁湾曲面２６Ｕの範囲内に位置しているから目立ちにくい。したがって、いわゆるフチレス形状の便器１０であっても見た目を良くすることができる。
【００４５】
また、上面の外側縁部が、上面部１１の外側縁部における下面と外壁部４２の上面とが接合された外縁接合面２７Ｓの外側端縁２９に連続して上方に膨らんだ外縁湾曲面２６Ｓである。この構成によれば、外縁接合面２７Ｓの外側端縁２９が目立ちにくいから、見た目を良くすることができる。
【００４６】
＜実施例２＞
次に、本発明を具体化した実施例２に係る便器５０を図９及び図１０によって説明する。
本実施例の便器５０は、外縁接合面２７Ｓが、外側端縁２９から内側に向けて斜め下方に傾斜した傾斜部５２を有している点で、実施例１とは相違する。なお、実施例１と同様の構成には同一符号を付して重複する説明を省略する。
【００４７】
本実施例に係る便器５０は、実施例１と同様に、上部形成体３０と下部形成体４０とを接合して形成される。上部形成体３０は、実施例１と同様、上面部１１を有し、上部形成体３０の下面には、上側接合面３９が設けられている。なお、上部形成体３０は、実施例１と同様に、平板形状をなしている。すなわち上部形成体３０の下面に形成された段差Ｄの高さ寸法は、上部形成体３０の平均高さ以下であり、かつ平均高さの半分以下である。
【００４８】
上側接合面３９は、上部形成体３０の内周側に設けられた内縁上側接合面３９Ｕと、上部形成体３０の外周側に設けられた外縁上側接合面３９Ｓとを有している。上部形成体３０の上面部１１の内側縁部は、下部形成体４０の内壁部４１より内側に突出した張出部５５を有している。すなわち上面部１１の内側縁部は、内壁部４１との接合面（内縁上側接合面３９Ｕ）から張出部５５の先端までを含む。上部形成体３０の上面の内側縁部及び外側縁部には、実施例１と同様、内縁湾曲面２６Ｕ及び外縁湾曲面２６Ｓが形成されている。
【００４９】
下部形成体４０は、実施例１と同様、上面部１１の内側縁部に接合される内壁部４１、及び上面部１１の外側縁部に接合される外壁部４２を有し、下部形成体４０の上面には、下側接合面４７が設けられている。下側接合面４７は、実施例１と同様、内壁部４１の上面により構成される内縁下側接合面４７Ｕと、外壁部４２の上面により構成される外縁下側接合面４７Ｓとを有している。
【００５０】
外縁接合面２７Ｓ（外縁上側接合面３９Ｓ及び外縁下側接合面４７Ｓ）は、上部形成体３０の下面３０Ｕから外縁湾曲面２６Ｓ内に向かって斜め上方に傾斜した傾斜部５２を有している。図９に示した傾斜部５２の外側端縁（外縁接合面２７Ｓの外側端縁２９）は、外縁湾曲面２６Ｓの下端Ｒ１に位置している。図１０に示した傾斜部５２の外側端縁（外縁接合面２７Ｓの外側端縁２９）は、外縁湾曲面２６Ｓの中間に位置している。上部形成体３０の下面３０Ｕは、図９及び図１０に示した便器５０のいずれにおいても、外縁湾曲面２６Ｓの下端Ｒ１より下方に位置している。上部形成体３０のリム部１４の厚さ寸法（上下方向の寸法）Ｈ１は外縁湾曲面２６Ｓの半径より大きい。上部形成体３０のうち傾斜部５２より上方の部分は、図９に示した便器５０の方が図１０に示した便器５０よりも厚さ寸法が大きい。このように、傾斜部５２の傾斜角度を変えることにより、上部形成体３０の厚さ寸法を変えることができる。
【００５１】
以上のように本実施例においては、外縁接合面２７Ｓが、外側端縁２９から内側に向けて斜め下方に傾斜した傾斜部５２を有しているから、仮に外縁湾曲面２６Ｓの半径が小さくても、上部形成体３０の厚さ寸法を確保できる。
【００５２】
＜実施例３＞
次に、本発明を具体化した実施例３に係る便器６０を図１１によって説明する。
本実施例の便器６０は、上面部１１の内側縁部が下部形成体４０の内壁部４１より内側に突出した張出部６１を有し、上部形成体３０の下面３０Ｕに脚部６２が設けられている点で、実施例２とは相違する。なお、実施例２と同様の構成には同一符号を付して重複する説明を省略する。
【００５３】
本実施例に係る便器６０は、実施例２と同様に、外縁接合面２７Ｓが、外側端縁２９から内側に向けて斜め下方に傾斜した傾斜部５２を有している。上部形成体３０は、内壁部４１の位置において上面部１１から垂下する脚部６２を有している。脚部６２の下面が、内壁部４１の上面（内縁下側接合面４７Ｕ）と接合する内縁上側接合面３９Ｕを構成する。上部形成体３０が脚部６２を有することにより、上部形成体３０の強度を高めることができる。接合面２７の内側端縁２８の上方に張出部６１が張り出しているから、接合面２７の内側端縁２８が見えにくいため、見た目が悪くなることを防ぐことができる。
【００５４】
本実施例に係る便器６０は、実施例２と同様に、内壁部４１と外壁部４２との間に空間部Ａが形成されている。これにより、上部形成体３０と下部形成体４０とが接合された状態では、上面部１１、内壁部４１、外壁部４２及び下部形成体上面部４３に囲まれて空間部Ａが形成される。空間部Ａの上面は、実施例２と同様、図１１に示すように、上部形成体３０により形成されている。空間部Ａの側面（図１１では左側面及び右側面）は、上部形成体３０と下部形成体４０とにより形成されている。詳しくは、空間部Ａの一方の側面（外壁部４２側の側面）は、下部形成体４０のみにより形成されている。空間部Ａの他方の側面（内壁部４１側の側面）は、上部形成体３０と下部形成体４０とにより形成されている。空間部Ａの他方の側面は、下部形成体４０の高さ寸法（空間部Ａの下端から内縁下側接合面４７Ｕまでの上下方向の寸法）Ｈ５が、上部形成体の高さ寸法（空間部Ａの上端から内縁下側接合面４７Ｕまでの上下方向の寸法）Ｈ６よりも大きい。下部形成体４０の高さ寸法Ｈ５とは、内壁部４１の上下方向の寸法である。なお、空間部Ａの側面は、上部形成体３０の高さ寸法Ｈ６が下部形成体４０の高さ寸法Ｈ５の半分以下であることが望ましい。
【００５５】
＜実施例４＞
次に、本発明を具体化した実施例４に係る便器７０を図１２によって説明する。
本実施例の便器７０は、内壁部４１と外壁部４２との間に空間部が形成されていない、すなわち内壁部４１と外壁部４２との間が埋められている点で、実施例１とは相違する。なお、実施例１と同様の構成には同一符号を付して重複する説明を省略する。
【００５６】
本実施例に係る便器７０は、実施例１と同様に、上部形成体３０と下部形成体４０とを接合して形成される。上部形成体３０は、実施例１と同様、上面部１１を有し、上部形成体３０の下面には、上側接合面３９が設けられている。上側接合面３９は、上部形成体３０の内周側に設けられた内縁上側接合面３９Ｕと、上部形成体３０の外周側に設けられた外縁上側接合面３９Ｓとを有している。上部形成体３０の上面の内側縁部及び外側縁部には、実施例１と同様、内縁湾曲面２６Ｕ及び外縁湾曲面２６Ｓが形成されている。
【００５７】
下部形成体４０は、実施例１と同様、上面部１１の内側縁部に接合される内壁部４１、及び上面部１１の外側縁部に接合される外壁部４２を有している。内壁部４１は、下部形成体４０の上端部の内側の部分であり、外壁部４２は、下部形成体４０の上端部の外側の部分である。
【００５８】
下部形成体４０の上面には、下側接合面４７が設けられている。下側接合面４７は、実施例１と同様、内壁部４１の上面により構成される内縁下側接合面４７Ｕと、外壁部４２の上面により構成される外縁下側接合面４７Ｓとを有している。下部形成体４０の上面は平面であり、内縁下側接合面４７Ｕ及び外縁下側接合面４７Ｓは同一平面の一部である。
【００５９】
上面部の内側縁部から垂下する便鉢部１２のうち吐水口２４より上側の部分（リム内壁面Ｒと称する。）は、下部形成体４０の高さ寸法（上下方向の寸法）Ｈ７が、上部形成体３０の高さ寸法（上下方向の寸法）Ｈ８より大きい。なお、リム内壁面Ｒは、図４に示すように、棚部１９の上端位置（吐水口２４の高さ位置）から上面部１１の上面までの部分をいう。
【００６０】
＜他の実施例＞
本発明は上記記述及び図面によって説明した実施例に限定されるものではなく、例えば次のような実施例も本発明の技術的範囲に含まれる。
（１）上記実施例では、上部形成体３０が、便器１０，５０，６０，７０の上面部１１の全体を有しているが、これに限らず、上部形成体は、便器の上面部の一部のみを有するものであってもよい。例えば図１３に示すように、便器８０の上面部１１のうち連結部１５及び通水路上部３１を含む部分のみを上部形成体８１として形成し、他の部分を下部形成体８２に一体成形してもよい。
（２）上記実施例では、内縁湾曲面２６Ｕの半径と外縁湾曲面２６Ｓの半径とが同等であるが、これに限らず、内縁湾曲面と外縁湾曲面とは半径が異なっていてもよい。
（３）上記実施例では、下部形成体４０と上部形成体３０との接合面２７の内側端縁２８が内縁湾曲面２６Ｕ内に位置し、接合面２７の外側端縁２９が外縁湾曲面２６Ｓの範囲内に位置しているが、これに限らず、接合面の内側端縁及び外側端縁は必ずしも湾曲面内に位置しなくてもよいし、いずれか一方のみが湾曲面内に位置してもよい。
（４）上記実施例では、いわゆるフチレス形状の便器１０，５０，６０，７０，８０に本発明を適用した場合を例示したが、これに限らず、本発明はフチがある便器にも適用できる。
（５）上記実施例２，３では、外縁接合面２７Ｓが、外側端縁２９から内側に向けて斜め下方に傾斜した傾斜部５２を有しているが、これに限らず、内縁接合面が、内側端縁から内側に向けて斜め下方に傾斜した傾斜部を有していてもよい。
【符号の説明】
【００６１】
Ａ…空間部
１０，５０，６０，７０…便器
１１…上面部
１２…便鉢部
２１…鉢面部
２４…吐水口
２６Ｕ…内縁湾曲面
２６Ｓ…外縁湾曲面
２７Ｕ…内縁接合面
２７Ｓ…外縁接合面
２８…内側端縁
２９…外側端縁
３０，７１…上部形成体
３０Ｕ…上部形成体の下面
３９Ｕ…内縁上側接合面（上面部の内側縁部における下面）
３９Ｓ…外縁上側接合面（上面部の外側縁部における下面）
４０，７２…下部形成体
４１…内壁部
４２…外壁部
４７Ｕ…内縁下側接合面（内壁部の上面）
４７Ｓ…外縁下側接合面（外壁部の上面）
５２…傾斜部
【図１】
2020180528.tif 000003
【図２】
2020180528.tif 000004
【図３】
2020180528.tif 000005
【図４】
2020180528.tif 000006
【図５】
2020180528.tif 000007
【図６】
2020180528.tif 000008
【図７】
2020180528.tif 000009
【図８】
2020180528.tif 000010
【図９】
2020180528.tif 000011
【図１０】
2020180528.tif 000012
【図１１】
2020180528.tif 000013
【図１２】
2020180528.tif 000014
【図１３】
2020180528.tif 000015